(57)【要約】      （修正有）【課題】快適性、エコロジー性及びデザイン性を兼ね備え、しかも、消費者が納得する価格で供給できるシャツ又はシャツブラウスを提供する。【解決手段】クレープを主体としてなるシャツ又はシャツブラウスにおいて、袖部分１３に、袖部分１３と身頃部分１１との縫合部１８から袖口１３ａに向けて、長手方向の辺が直線で、かつ、縫合部側から袖口１３ａに向けて次第に幅が狭まる袖部切換え別布１６ａを有している。【選択図】図１
0003179396.tif 000002
【実用新案登録請求の範囲】
【請求項１】
クレープを主体として他の織物及びカットソーからなるシャツ又はシャツブラウスにおいて、
袖部分に、前記袖部分と身頃部分との縫合部から袖口に向けて、長手方向の辺が直線で、かつ、前記縫合部側から袖口に向けて次第に幅が狭まる袖部切換え別布を有していることを特徴とするシャツ又はシャツブラウス。
【請求項２】
前記袖部切換え別布及び身頃部切換え別布が、メッシュ又はレース地であることを特徴とする請求項１記載のシャツ又はシャツブラウス。
【考案の詳細な説明】
【技術分野】
【０００１】
本考案は、古くからの日本綿文化の産物であるクレープ（揚柳）を主体として、他の織物及びカットソー（ｃｕｔ  ａｎｄ  ｓｅｗｎ）などからなるシャツ及びシャツブラウスの袖部分にテーパーを持たせた幅を有する切換え別布、身頃部分に均一幅の切換え別布を介在させたシャツ及びシャツブラウスに関し、さらに詳しくは、天然素材であるクレープがもつ爽快感、快適性と、メッシュやレース地などからなる切換え別布が奏する通気性、涼しさ、華やかさが相俟って、クールビズ（ｃｏｏｌ  ｂｉｚ）に特に適合したエコロジー性およびデザイン性を増したシャツ及びシャツブラウスに関するものである。
【背景技術】
【０００２】
温室効果ガス削減のために、夏のエアコンの温度設定を２８℃にすることが推奨されている。そのようなオフィスなどで快適に過ごすため、軽装を奨励するいわゆるクールビズが行われている。クールビズに対応するため、服装の素材からデザイン、コーディネートまで様々な提案がなされている。
【０００３】
例えば、前身頃と後身頃との間に、幅寸法が５ｃｍないし１０ｃｍで、かつ、前身頃の布地とほぼ同じ系統の色のメッシュ地による通気部を介在させることにより、従来と同様の品位を保ちながら、涼しく快適に着用できる夏期用シャツが提案されている（特許文献１参照）。
【０００４】
また、袖口から脇の下にかけ、又は、脇の下より脇腹に沿って網の目を入れた、通風の良い上着及びシャツが提案されている（特許文献２参照）。
【先行技術文献】
【特許文献】
【０００５】
【特許文献１】特開２００３−１３３０１号公報
【特許文献２】実開昭５６−１５７０３号公報
【考案の概要】
【考案が解決しようとする課題】
【０００６】
近年の節電要求は一層厳しく、一方で消費者のクールビズ適合商品に対する快適性及びエコロジー性、さらにデザイン性に対する要求は強く、これに伴い、クールビズに適合したシャツ及びシャツブラウスなどは、ますます多品種化の傾向にある。ところが、快適性、涼感性、エコロジー性及びデザイン性を兼ね備え、しかも、消費者が納得する価格で供給されているものは、稀有であるのが現状である。なお、本考案におけるシャツブラウスとは、男性のワイシャツと同様のデザインを有する女性用のシャツをいい、「ウイメンズシャツ」、「シャツウエストブラウス」「テーラードブラウス」などと同義語である。
【０００７】
そこで、本考案が解決しようとする技術的課題、すなわち、本考案の目的は、シャツ及びシャツブラウスに共通して適用でき、しかも前述したような先行技術に対する貢献を明示する技術的特徴を付加することにより、快適性、涼感性、エコロジー性及びデザイン性を兼ね備え、しかも、消費者が納得する価格で供給可能なクールビズに適合したシャツ及びシャツブラウスを提供することである。
【課題を解決するための手段】
【０００８】
そこで、本考案者は、前述のような観点から、特に、日本文化の技であるクレープの素材特性である涼しさ、冷感に着目するとともに、切換えの縫い込みによる別布部分にメッシュ又はレース地を用いると共に所望の機能加工を施すことにより、湿気排出作用を備えるとともに、すぐれた速乾性、吸汗性、制電性、制菌性、防カビ性、消臭性などを発揮するシャツ及びシャツブラウスを開発すべく、創意工夫した結果、以下の知見を得た。
【０００９】
（ａ）メッシュ又はレース地からなる別布部分に、吸水速乾性及びさらりとした肌触りという機能性を付与する。このような機能性を付与する手段としては、例えば、ポリエステル繊維にグラフト重合加工を施す方法などを適用することが出来る。
（ｂ）メッシュ又はレース地からなる別布部分に、臭いのある雑菌の繁殖を抑制するという抗菌防臭作用を付与する。このような抗菌防臭作用を付与する手段としては、例えば、天然にも存在する成分で出来た消臭剤を繊維に固着させ、臭い物質を吸着、分解、中和、無臭化し、汗臭にも消臭効果を発揮させる方法などを適用することが出来る。
（ｃ）メッシュ又はレース地を構成する化学繊維は黄変化するという欠点を有するが、ポリエステルは黄変化し難く、すぐれた耐久性を発揮させることが出来る。
（ｄ）メッシュ又はレース地からなる別布部分を身頃部分と縫い合わせる際に、別布部分の長手方向の縫い目が直線となるように裁断することによって縫製時の作業時間を格段に短縮することが出来る。
【００１０】
ここで、本考案のシャツ及びシャツブラウスの主たる素材であるクレープ（ｃｒｅｐｅ、揚柳とも書く）とは、綿を平織りにして作った織物であって、経糸（縦糸）には殆ど撚りのない糸を使い、緯糸（横糸）に強い撚りをかけた右より（右回りにねじる）と左より（左回りにねじる）の糸（強撚糸）を交互に織ったものであり、そのため仕上すると布が縮み生地の表面にしぼ（凹凸）が現れるという特徴を有する素材である。なお、このクレープには、経糸にポリエステル及び緯糸にスパン系或いはそれらの混紡糸若しくは麻や麻混を使用することによってさらに凹凸感を創出したことを特徴とした素材を使用することも可能である。この特徴を有するが故に、この凹凸が肌との間に空間を生じ他の織物にない涼感性が創出されるだけでなく、毛細管現象で水分や老廃物を吸収する力を持つようになり、優れた吸汗性、速乾性をも創出するため、ファッションに対して最も成熟した積極性・審美眼をもつと思われる世代に共感を得るシャツ及びシャツブラウスを提供することが出来る。
【００１１】
本考案は、前述した知見に基づいてなされたものであって、
「（１）  クレープを主体としてなるシャツ又はシャツブラウスにおいて、袖部分に、前記袖部分と身頃部分との縫合部から袖口に向けて、長手方向の辺が直線で、かつ、前記縫合部側から袖口に向けて次第に幅が狭まる袖部切換え別布を有することを特徴とするシャツ又はシャツブラウス。
（２）  前記袖部切換え別布及び身頃部切換え別布が、メッシュ又はレース地であることを特徴とする（１）記載のシャツ又はシャツブラウス。」
に特徴を有するものである。
さらに、前記の特徴に加え、身頃部分に、長手方向の辺が直線で、かつ、均一幅の身頃部切換え別布を設けることも可能である。
【考案の効果】
【００１２】
本考案のシャツ及びシャツブラウスは、気温が高く多湿な日本及びアジアの気候に適した新規な機能性のある夏シーズンの衣服となる。また、単衣として、あるいは、ランニングやタンクトップとの重ね着としても夏シーズンの着用に適した機能性のあるハイセンスな装いを創出する。従って、メンズ、レディス共に自由度の高い衣服設計を楽しむことが出来る。
【００１３】
また、これまで夏シーズンといえども、ビジネスの正装は長袖とされてきた。ところが、クールビズのさらなる実施強化による節電でオフィスの室温は今まで以上に高く設定されることが予想される。しかしながら、これまでシャツ及びシャツブラウスは長袖でないと格好悪いという認識があった。そのため、タフな暑さの中でもお洒落に涼しさをキープする半袖シャツ及びシャツブラウスが切望されていたが、本考案のシャツ及びシャツブラウスは、そうしたニーズにも十分に応え得るクールビズに適した半袖シャツ及びシャツブラウスも提供できる。
【００１４】
さらに、切換え別布の長手方向の縫い目が直線になるように裁断してあるため、従来のようにカーブした縫い目に比べ縫製時間が大幅に短縮され、商品の優雅さを損なうことなく、最近の消費者ニーズに対応した低価格なシャツ及びシャツブラウスを供給できるなど、その効果は絶大である。
【図面の簡単な説明】
【００１５】
【図１】本考案の一実施例であるシャツを示す正面図である。
【図２】図１に示したシャツの背面図であり、（ａ）は袖部分と背中部分にメッシュ又はレース地を有するものを示し、（ｂ）は袖部分にメッシュ又はレース地を有し、背中部分にメッシュ又はレース地を有さないものを示す。
【図３】本考案の別の実施例であるシャツブラウスを示す正面図である。
【図４】本考案の別の実施例である半袖のシャツを示す正面図である。
【考案を実施するための形態】
【００１６】
つぎに、本考案のシャツ又はシャツブラウスの一実施態様について実施例１に基づき図面を参照して、より具体的に説明する。
【実施例１】
【００１７】
図１及び図２は、シャツ（１）における実施例であり、図１は正面図、図２は背面図を示す。本実施例におけるシャツ（１）は、図１及び図２に示すように、クレープを主体としてなるシャツ（１）において、シャツ（１）の袖部分（１３）に前身頃（１１ａ）及び後身頃（１１ｂ）からなる身頃部分（１１）との縫合部（１８）から袖口（１３ａ）に向けて、長手方向の辺が直線で、かつ、縫合部（１８）側から袖口（１３ａ）に向けて次第に幅が狭まる袖部切換え別布（１６ａ）を有するとともに、身頃部分（１１）、例えば、図２（ａ）に示すように後身頃（１１ｂ）の縦方向中央に長手方向の辺が直線で、かつ、均一幅の身頃部切換え別布（１６ｂ）を有している。また、前身頃（１１ａ）の左胸には、ポケット（１４）を有しており、襟（１２）は、ボタンダウンとなっている。もちろん、図１には表示していないが、前身頃（１１ａ）に、釦（１５）ラインを挟んでこれと平行に身頃部切換え別布（１６ｂ）を設けることも可能である。
【００１８】
本実施例においては、袖部切換え別布（１６ａ）及び身頃部切換え別布（１６ｂ）からなる切換え別布（１６）には、黄変化が少ないポリエステル１００％を素材としたメッシュを用いている。
また、別の態様としては、メッシュの素材を綿とポリエステルスパンの混紡とすることもできる。こうすることにより、身頃部分（１１）を構成するクレープの素材（綿１００％）と相俟って全体として天然繊維に近くなり、より、ｎａｔｕｒａｌな風合いを醸し出すという効果も期待できる。
【００１９】
つぎに、本考案のシャツ又はシャツブラウスの別の実施態様について実施例２に基づき図面を参照して、より具体的に説明する。
【実施例２】
【００２０】
図３は、シャツブラウス（２）における実施例の正面図であり、（ａ）は袖部分（２３）と前身頃（２１ａ）にメッシュ又はレース地からなる切換え別布（２６）を有するものを示し、（ｂ）は袖部分（２３）と、前身頃（２１ａ）と後身頃（２１ｂ）との縫合部（２８）の脇から裾にかけて、メッシュ又はレース地からなる切換え別布（２６）を有するものを示す。
【００２１】
図３（ａ）に示したシャツブラウス（２）は、クレープを主体としてなるシャツブラウス（２）において、シャツブラウス（２）の袖部分（２３）に、前身頃（２１ａ）及び後身頃（２１ｂ）からなる身頃部分（２１）との縫合部（２８）から袖口（２３ａ）に向けて、長手方向の辺が直線で、かつ、前記縫合部（２８）側から袖口（２３ａ）に向けて次第に幅が狭まる袖部切換え別布（２６ａ）を有している。
【００２２】
本実施例においては、袖部切換え別布（２６ａ）には、実施例１のシャツ（１）と同様、黄変化が少ないポリエステル１００％を素材としたメッシュを用いている。
【００２３】
本実施例においても袖部切換え別布（２６ａ）の素材は、綿とポリエステルスパンの混紡とすることもできる。こうすることで、実施例1のシャツ（１）と同様に身頃部分（２１）を構成するクレープの素材（綿１００％）と相俟って全体として天然繊維に近くなり、より、シルクのように優しいタッチのコットンカットソーの風合いと高級感を醸し出すという効果も期待できる。
【００２４】
つぎに、本考案のシャツを半袖シャツにおいて実施した態様について実施例３に基づき図４を参照して、より具体的に説明する。
【実施例３】
【００２５】
図４は、半袖のシャツ（３）における実施例の正面図を示す。本実施例におけるシャツ（３）は、図４に示すように、クレープを主体としてなるシャツ（３）において、シャツ（３）の半袖の袖部分（３３）に前身頃（３１ａ）及び後身頃（３１ｂ）からなる身頃部分（３１）との縫合部（３８）から袖口（３３ａ）に向けて、長手方向の辺が直線で、かつ、縫合部（３８）側から袖口（３３ａ）に向けて次第に幅が狭まる袖部切換え別布（３６ａ）を有している。
【００２６】
本実施例においては、袖部切換え別布（３６ａ）及び（図示はされていないが）後身頃（３１ｂ）の縦方向中央に身頃部切換え別布からなる切換え別布には、黄変化が少ないポリエステル１００％を素材としたメッシュを用いている。
また、別の態様としては、綿とポリエステルスパンの混紡とすることもできる。こうすることにより、身頃部分（３１）を構成するクレープの素材（綿１００％）と相俟って全体として天然繊維に近くなり、より、ｎａｔｕｒａｌな風合いを醸し出すという効果も期待できる。
【産業上の利用可能性】
【００２７】
本考案のシャツ及びシャツブラウスは、すぐれた快適性、涼感性、エコロジー性及びデザイン性を兼ね備えているばかりでなく、消費者ニーズの多様化に対応する様々な機能性を付与することが可能であり、しかも、消費者が納得する価格で供給することが出来るため、ヤングからシニア、レディスからメンズ用まで、その産業上の利用可能性はきわめて高い。
さらに、本考案の技術的思想は、シャツ及びシャツブラウスに限らず、夏季にクールビズに対応して着用されるワンピースやスーツなどの衣服に対しても適用可能であることは言うまでもない。
【符号の説明】
【００２８】
１  ・・・  シャツ    ２  ・・・  シャツブラウス    ３  ・・・  （半袖の）シャツ
１１、２１、３１    ・・・  身頃部分
１１ａ、２１ａ、３１ａ  ・・・  前身頃
１１ｂ、２１ｂ、３１ｂ  ・・・  後身頃
１２、２２、３２    ・・・  襟
１３、２３、３３    ・・・  袖部分
１３ａ、２３ａ、３３ａ  ・・・  袖口
１４、３４  ・・・  ポケット
１５、２５、３５  ・・・  釦
１６  ・・・  切換え別布
１６ａ、２６ａ、３６ａ  ・・・  袖部切換え別布
１６ｂ  ・・・  身頃部切換え別布
１８、２８、３８  ・・・  縫合部      
【図１】
0003179396.tif 000003
【図２】
0003179396.tif 000004
【図３】
0003179396.tif 000005
【図４】
0003179396.tif 000006